(57)【要約】【課題】苗植付け作業中にいずれかの部分条において部分条クラッチが切り状態から入り状態に切り換えられた場合であっても、植付用苗に対する流動体の散布作業が良好に行えるようにすることが可能な田植機を提供する。【解決手段】苗載せ台１３に載置された植付用苗に対して流動体を散布する流動体散布装置３２と、流動体散布装置３２の作動を制御する制御装置とが備えられ、制御装置が、部分条クラッチが伝動入り状態である植付条において、苗載せ台１３に載置された植付用苗の消費具合に対応した所定タイミングに達すると流動体供給装置３２による流動体散布処理を実行し、且つ、部分条クラッチが伝動切り状態から伝動入り状態に切り換えられると、所定タイミングであるか否かにかかわらず、少なくとも部分条クラッチが切り換えられた部分条において、流動体散布処理を実行する。【選択図】図３
2014143989.tif 000002
【特許請求の範囲】
【請求項１】
走行機体の後部に苗植付装置が連結され、
前記苗植付装置は、横幅方向に沿って並ぶ複数の植付条毎に植付用苗を載置する苗載せ台と、複数の植付条の夫々に対応して備えられて植付用苗を圃場に植付ける複数の植付機構と、複数条のうち区分けされた部分条毎に前記植付機構への伝動状態を入り切り可能な部分条クラッチとを備えて構成され、
前記苗載せ台に載置された植付用苗に対して流動体を散布する流動体散布装置と、前記流動体散布装置の作動を制御する制御装置とが備えられ、
前記制御装置が、
前記部分条クラッチが伝動入り状態である植付条において、前記苗載せ台に載置された植付用苗の消費具合に対応した所定タイミングに達すると前記流動体供給装置による流動体散布処理を実行し、且つ、前記部分条クラッチが伝動切り状態から伝動入り状態に切り換えられると、前記所定タイミングであるか否かにかかわらず、少なくとも前記部分条クラッチが切り換えられた部分条において、前記流動体散布処理を実行するように構成されている田植機。
【請求項２】
前記流動体散布装置を前記苗載せ台の横幅方向に沿って移動させる移送機構が備えられ、
前記制御装置が、前記流動体散布処理として、前記流動体散布装置を前記苗載せ台の横幅方向に沿って移動させながら流動体を散布させる処理を実行するように、前記移送機構及び前記流動体散布装置の作動を制御する請求項１記載の田植機。
【請求項３】
前記流動体散布装置として、複数の植付条のうち左右に分割された左側領域と右側領域のうちの左側領域に対応する複数の左側植付条を担当する左側の流動体散布装置と、右側領域に対応する複数の右側植付条を担当する右側の流動体散布装置とが備えられ、
前記移送機構として、前記左側の流動体散布装置に対応する左側の移送機構と、前記右側の流動体散布装置に対応する右側の移送機構とが備えられ、
前記制御装置が、前記流動体散布処理において、前記左側の流動体散布装置と前記右側の流動体散布装置とを同時に同じ方向に移動させる請求項２記載の田植機。
【請求項４】
前記制御装置が前記流動体散布処理を停止している状態で、手動操作に基づいて格納状態を指令する格納指令手段が備えられ、
前記制御装置が、前記格納指令手段にて格納状態が指令されると、前記左側の流動体散布装置を左側端部に位置させ、前記右側の流動体散布装置を右側端部に位置させるように移動させる格納処理を実行する請求項３記載の田植機。
【請求項５】
前記制御装置は、走行車体に搭載されたエンジンの作動を停止させると、前記左側の流動体散布装置を左側端部に位置させ、前記右側の流動体散布装置を右側端部に位置させるように移動させる格納処理を実行する請求項３又は４記載の田植機。
【請求項６】
前記苗植付装置が、左右の分割植付け装置部分に分割され、且つ、これら左右の分割植付け装置部分を左右に並べて連結した正規の作業姿勢と、左右の分割植付け装置部分が向かい合わせとなる横幅の狭い格納姿勢とに切り換え可能に構成されている請求項３〜５のいずれか１項に記載の田植機。
【発明の詳細な説明】
【技術分野】
【０００１】
本発明は、苗植付装置に載置された植付用苗に対して流動体を散布する流動体散布装置が備えられた田植機に関する。
【背景技術】
【０００２】
上記構成の田植機において、従来では、流動体散布装置が薬剤や肥料等の流動体を狭い範囲で散布するように構成されるとともに、その流動体散布装置を苗載せ台の横幅方向に沿ってスライド移動させる移送機構を備えて、苗載せ台における複数の植付条に対応する植付用苗に流動体を供給するように構成され、苗載せ台に載置された植付用苗の縦送り操作が所定回数行われると流動体散布装置を作動させるように構成されている。又、複数条のうち区分けされた部分条毎に植付機構への伝動状態を入り切り可能な部分条クラッチが備えられており、この部分条クラッチが切り状態に切り換えられると、その切り状態となった部分条では、流動体の散布作業を行わないように構成されている（例えば、特許文献１参照。）。
【先行技術文献】
【特許文献】
【０００３】
【特許文献１】特開２０１０−１７８６３６号公報
【発明の概要】
【発明が解決しようとする課題】
【０００４】
上記従来構成では、例えば、植付用苗の縦送り操作が所定回数行われて流動体散布装置を作動させるタイミングに至ったのち、次回の流動体散布装置を作動させるタイミングに至るまでの間に、切り状態である部分条クラッチが入り状態に切り換えられた場合であっても、その後、植付用苗の縦送り操作が所定回数行われて流動体散布装置を作動させるタイミングに至るまでは、薬剤の散布作業が行われないことになる。
【０００５】
その結果、部分条クラッチが切り状態から入り状態に切り換えられた植付条においては、入り状態に切り換えられた後は、植付機構が作動して苗が消費されているにもかかわらず、苗載せ台に載置された植付用苗の縦送り操作が所定回数行われるまで、流動体（薬剤や肥料等）の散布作業が行われないので、流動体の散布量が不足してしまうという不利があり、改善の余地があった。
【０００６】
本発明の目的は、植付用苗に対する流動体の散布作業が良好に行えるようにすることが可能な田植機を提供する点にある。
【課題を解決するための手段】
【０００７】
本発明に係る田植機の特徴構成は、走行機体の後部に苗植付装置が連結され、
前記苗植付装置は、横幅方向に沿って並ぶ複数の植付条毎に植付用苗を載置する苗載せ台と、複数の植付条の夫々に対応して備えられて植付用苗を圃場に植付ける複数の植付機構と、複数条のうち区分けされた部分条毎に前記植付機構への伝動状態を入り切り可能な部分条クラッチとを備えて構成され、
前記苗載せ台に載置された植付用苗に対して流動体を散布する流動体散布装置と、前記流動体散布装置の作動を制御する制御装置とが備えられ、
前記制御装置が、
前記部分条クラッチが伝動入り状態である植付条において、前記苗載せ台に載置された植付用苗の消費具合に対応した所定タイミングに達すると前記流動体供給装置による流動体散布処理を実行し、且つ、前記部分条クラッチが伝動切り状態から伝動入り状態に切り換えられると、前記所定タイミングであるか否かにかかわらず、少なくとも前記部分条クラッチが切り換えられた部分条において、前記流動体散布処理を実行するように構成されている点にある。
【０００８】
本発明によれば、部分条クラッチが伝動入り状態である植付条では、所定タイミングに達する毎に流動体供給装置により、例えば薬剤や肥料等の流動体の散布処理が行われる。所定タイミングは、苗載せ台に載置された植付用苗の消費具合に対応したタイミングであり、例えば、苗載せ台の横一列分の植え付けが終了して載置している苗を縦送りする縦送り操作が所定回行われたタイミング等がある。つまり、植付用苗が適量消費されると、植付用苗に流動体が散布供給されることになる。
【０００９】
そして、複数条のうちいずれかの部分条において部分条クラッチが伝動切り状態に切り換えられている場合に、その部分条クラッチが伝動入り状態に切り換えられると、前記所定タイミングに達していなくても、少なくとも部分条クラッチが切り換えられた部分条において流動体散布処理が行われることになる。その結果、苗植付け作業中にいずれかの部分条において部分条クラッチが切り状態から入り状態に切り換えられた場合であっても、部分条クラッチが切り換えられた部分条において、流動体の散布量が不足するという不利のない状態で、植付用苗に対する流動体の散布作業が行われることになる。
【００１０】
従って、植付用苗に対する流動体の散布作業が良好に行えるようにすることが可能な田植機を提供できるに至った。
【００１１】
本発明においては、前記流動体散布装置を前記苗載せ台の横幅方向に沿って移動させる移送機構が備えられ、
前記制御装置が、前記流動体散布処理として、前記流動体散布装置を前記苗載せ台の横幅方向に沿って移動させながら流動体を散布させる処理を実行するように、前記移送機構及び前記流動体散布装置の作動を制御すると好適である。
【００１２】
本構成によれば、流動体散布処理として、流動体散布装置を苗載せ台の横幅方向に沿って移動させながら流動体を散布させる処理が行われるので、苗載せ台の植付条の条数が多く、横幅方向に沿って流動体を散布すべき幅が広い場合であっても、流動体散布装置として、散布幅が幅狭にして小型軽量化を図ることができ、流動体散布装置の構成を簡素化することが可能となる。
【００１３】
本発明においては、前記流動体散布装置として、複数の植付条のうち左右に分割された左側領域と右側領域のうちの左側領域に対応する複数の左側植付条を担当する左側の流動体散布装置と、右側領域に対応する複数の右側植付条を担当する右側の流動体散布装置とが備えられ、
前記移送機構として、前記左側の流動体散布装置に対応する左側の移送機構と、前記右側の流動体散布装置に対応する右側の移送機構とが備えられ、
前記制御装置が、前記流動体散布処理において、前記左側の流動体散布装置と前記右側の流動体散布装置とを同時に同じ方向に移動させると好適である。
【００１４】
本構成によれば、複数の植付条が左側領域と右側領域とに左右に分割され、そのうち左側領域に対応する複数の左側植付条においては、左側の流動体散布装置を苗載せ台の横幅方向に沿って移動させながら流動体を散布させることができ、右側領域に対応する複数の左側植付条においては、右側の流動体散布装置を苗載せ台の横幅方向に沿って移動させながら流動体を散布させることができる。
【００１５】
このように、複数の植付条を左右に分割して、左右両側で夫々専用の流動体散布装置を備えることで、例えば、１つの流動体散布装置で全条の植付条にわたり移動する構成に比べて、１つの流動体散布装置の移動距離が短くなるので、全条の植付条に対して短い時間で流動体の散布を行うことができる。
【００１６】
又、左側の流動体散布装置と右側の流動体散布装置とを同時に移動させるときは、それらが同じ方向に移動するので、左側の流動体散布装置と右側の流動体散布装置とが互いに干渉しあって移動が阻害されることのない状態で良好な移動操作を行うことができる。
【００１７】
従って、植付条の個数が多い場合であっても、作業能率のよい状態で且つ流動体散布装置同志が互いに干渉する等の不利のない状態で、流動体の散布処理を良好に行うことができる。
【００１８】
本発明においては、前記制御装置が前記流動体散布処理を停止している状態で、手動操作に基づいて格納状態を指令する格納指令手段が備えられ、
前記制御装置が、前記格納指令手段にて格納状態が指令されると、前記左側の流動体散布装置を左側端部に位置させ、前記右側の流動体散布装置を右側端部に位置させるように移動させる格納処理を実行すると好適である。
【００１９】
本構成によれば、格納状態が指令されると、左側の流動体散布装置が苗載せ台の左側端部に位置し、右側の流動体散布装置が苗載せ台の右側端部に位置する状態で格納される。このような格納状態が指令されるときは、植付作業が終了して、例えば、残留している流動体を除去させたり、点検等のメンテナンス作業が行われることがあるが、この場合、左右両側の流動体散布装置を苗載せ台の左右両側端部に位置させることで、横側外方からのメンテナンス作業が行い易いものとなる。
【００２０】
本発明においては、前記制御装置が、走行車体に搭載されたエンジンの作動を停止させると、前記左側の流動体散布装置を左側端部に位置させ、前記右側の流動体散布装置を右側端部に位置させるように移動させる格納処理を実行すると好適である。
【００２１】
本構成によれば、エンジンの作動を停止させると、左側の流動体散布装置が苗載せ台の左側端部に位置し、右側の流動体散布装置が苗載せ台の右側端部に位置する状態で格納される。エンジンを停止させたのちに、左右両側の流動体散布装置を苗載せ台の左右両側端部に位置させることで、横側外方からのメンテナンス作業が行い易いものとなる。
【００２２】
そして、この構成では、エンジンを停止させるだけで格納処理が行われるので、手動操作による格納のための特別な操作を行う煩わしさがなく、操作性に優れている利点がある。
【００２３】
本発明においては、前記苗植付装置が、左右の分割植付け装置部分に分割され、且つ、これら左右の分割植付け装置部分を左右に並べて連結した正規の作業姿勢と、左右の分割植付け装置部分が向かい合わせとなる横幅の狭い格納姿勢とに切り換え可能に構成されていると好適である。
【００２４】
本構成によれば、植付作業を行う通常の作業時には、正規の作業姿勢にすることで、左右の分割植付け装置部分が左右に並べて連結した状態となるので、複数条の夫々にて適正に植付作業を行える。そして、作業が終了して移動走行等を行うときは、左右の分割植付け装置部分が向かい合わせとなる横幅の狭い格納姿勢に切り換えることで、移動走行時に左右両側に出っ張ることがなく、他物との干渉のおそれを少なくすることができる。
【００２５】
このように苗植付装置が左右の分割植付け装置部分に分割される構成において、上記したような移送機構により流動体散布装置を苗載せ台の横幅方向に沿って移動させる構成を採用するものでは、左側の流動体散布装置と右側の流動体散布装置とを夫々備えることにより、左右の分割植付け装置部分において夫々良好に流動体の散布処理を行うことができるものとなる。
【図面の簡単な説明】
【００２６】
【図１】田植機の全体側面図である。
【図２】苗植付装置の側面図である。
【図３】苗載せ台の後面図である。
【図４】薬剤散布装置の縦断側面図である。
【図５】薬剤散布装置の支持構造を示す後面図である。
【図６】苗植付装置の支持構造を示す平面図である。
【図７】苗植付装置が作業姿勢であるときの田植機の平面図である。
【図８】苗植付装置が切り換え途中であるときの田植機の平面図である。
【図９】苗植付装置が格納姿勢であるときの田植機の平面図である。
【図１０】制御ブロックである。
【図１１】薬剤散布処理の作動状態を示す説明図である。
【図１２】計量処理の作動状態を示す説明図である。
【発明を実施するための形態】
【００２７】
以下、図面に基づいて、本発明に係る乗用型の田植機の実施形態について説明する。
図１に示すように、田植機は、乗用型に形成された走行機体１の後部に、油圧式のリフトシリンダ２の作動で昇降揺動するリンク機構３を介して１０条植え形式の苗植付装置４を駆動昇降可能に連結して構成されている。
【００２８】
走行機体１は、その前部に搭載されたエンジン５からの動力を図示しない変速装置を介して、左右の前輪６及び後輪７に走行用として伝達する４輪駆動型に構成され、その中央部には、左右の前輪６を操舵するステアリングホイール８や運転座席９などを備えた搭乗運転部１０が形成されている。
【００２９】
図２及び図６に示すように、苗植付装置４は、横長角筒状の主フレーム１１、走行機体１から取り出された作業用動力を受けるフィードケース１２、１０条の植付条毎に植付用苗としてのマット状苗を載置するとともに、一定ストロークで左右に往復横移動する苗載せ台１３、１０条分の回転式の植付機構１４、左右両側に２条分の植付機構１４を備えた５個の植付け伝動ケース１５、田面の植付け箇所を均平整地する４個の整地フロート１６等を備えている。
【００３０】
図６〜図９に示すように、苗植付装置４は左右の分割植付け装置部分４Ｌ，４Ｒに分割されており、左側の分割植付け装置部分４Ｌに、左側４条分の分割苗載せ台部分１３Ｌ、左側４条分の植付機構１４、左側２個の整地フロート１６等が装備されている。又、右側の分割植付け装置部分４Ｒに、右側６条分の分割苗載せ台部分１３Ｒ、右側６条分の植付機構１４、右側２個の整地フロート１６等が装備されている。そして、これら左右の分割植付け装置部分４Ｌ，４Ｒを左右に並べて連結した正規の作業姿勢（図７参照）と、左右の分割植付け装置部分４Ｌ，４Ｒが向かい合わせとなる横幅の狭い格納姿勢（図９参照）とに切換え可能に構成されている。
尚、苗植付装置４の左右方向については、図面の記載から容易に構成を理解するために、車体後部から見た状態での左右方向にて定義している。
【００３１】
図６に示すように、主フレーム１１は、左右に分割されており、その左側の主フレーム部分１１Ｌに、左側４条分の分割苗載せ台部分１３Ｌと左側２個の植付伝動ケース１５が備えられ、右側の主フレーム部分１１Ｒに、フィードケース１２、右側６条分の分割苗載せ台部分１３Ｒ、および、右側３個の植付伝動ケース１５が備えられている。また、リンク機構３の後端部にローリング自在に支持された中央フレーム１７の左右張出し部１７ａに、縦向きの支点Ｐ１周りに旋回揺動可能に左右一対の揺動アーム１８Ｌ，１８Ｒが装備されるとともに、各揺動アーム１８Ｌ，１８Ｒの遊端部に左右の主フレーム部分１１Ｌ，１１Ｒの中間部位が縦向きの支点Ｐ２周りに回動可能にそれぞれ連結支持されている。
【００３２】
また、前記支点Ｐ１において固定配備した大径のスプロケット１９と、前記支点Ｐ２において主フレーム部分１１Ｌ，１１Ｒに固定された小径のスプロケット２０に亘ってチェーン２１が巻回張設されており、揺動アーム１８Ｌ，１８Ｒが支点Ｐ１周りに旋回作動することに連動して、主フレーム部分１１Ｌ，１１Ｒが各揺動アーム１８Ｌ，１８Ｒの旋回方向と逆方向に増速されて揺動するようになっている。
【００３３】
ここで、左右の分割植付け装置部分４Ｌ，４Ｒを左右に並べて連結した正規の作業姿勢では、図６に示すように、各揺動アーム１８Ｌ，１８Ｒはそれぞれの遊端部が外側に向かう横向き姿勢になり、各主フレーム部分１１Ｌ，１１Ｒも横向き姿勢になる。そして、この状態から各揺動アーム１８Ｌ，１８Ｒを後方に向けて略９０°旋回させると、これに連動して各主フレーム部分１１Ｌ，１１Ｒは前後方向に向かう姿勢にまで揺動し、左右の分割植付け装置部分４Ｌ，４Ｒが向かい合った格納姿勢となる。このような苗載せ台１３の姿勢の切り換え操作は手作業で行われることになる。
【００３４】
フィードケース１２の右側方には苗載せ台横送り用の横送り軸２２が備えられている。周知構成であるから詳述はしないが、この横送り軸２２には外周部に往復螺旋溝が形成され、且つ、この横送り軸２２に対して、右側の分割苗載せ台部分１３Ｒに連結された従動部材２３が装着されている。従動部材２３には螺旋溝に係入して摺動案内される図示しない係合部が備えられ、横送り軸２２が回転することにより、右側の分割苗載せ台部分１３Ｒと左側の分割苗載せ台部分１３Ｌとが一体的に左右方向に一定ストロークで往復移動するように構成されている。
【００３５】
図２〜図４に示すように、苗載せ台１３には、各植付条毎に載置されているマット状苗からなる植付用苗を所定量ずつ縦送りする苗縦送りベルト２４が備えられている。そして、図６に示すように、フィードケース１２の左右両側には苗縦送り駆動軸２５Ｌ，２５Ｒが装備され、左側の苗縦送り駆動軸２５Ｌで左側４条分の分割苗載せ台部分１３Ｌにおける苗縦送りベルト２４が駆動されるとともに、右側の苗縦送り駆動軸２５Ｒで右側６条分の分割苗載せ台部分１３Ｒにおける苗縦送りベルト２４が駆動されるようになっている。
【００３６】
すなわち、苗縦送り駆動軸２５Ｒ，２５Ｌに装備した左右一対の回転アーム２６のうちのいずれか一方が、苗載せ台１３が左右のストロークエンドに到達するごとに、図２に示すように、各苗縦送りベルト２４を駆動する苗縦送り駆動軸２７に装備した操作アーム２８を蹴り上げ操作して、図示しないラチェット機構を介して苗縦送り駆動軸２７を所定角度だけ間欠駆動することで、各苗縦送りベルト２４を所定量だけ回動させて植付用苗を縦送りするように構成されている。つまり、各苗縦送りベルト２４は、苗縦送り駆動軸２７の間欠回転駆動に伴って、駆動されて植付用苗を下方に向けて所定量だけ縦送り作動を行うように構成されている。尚、図示しないが、苗縦送り駆動軸２７は左右に分離および連結可能に構成されている。
【００３７】
又、フィードケース１２から分岐した動力が伝動軸２９Ｌ，２９Ｒを介して５個の植付伝動ケース１５に伝達され、各植付機構１４が駆動されるようになっている。各植付機構１６は、苗載せ台１３に載置された１０条分のマット状苗の夫々に対応して配備され、回転駆動されることにより、対応する植付用苗から所定量の苗を切り取って圃場に植え付ける植え付け作動を行う。
【００３８】
苗植付装置４には、左右方向に並設された１０個の植付機構１４のうちの対応する隣接した２つの植付機構１４毎に伝動状態を切り換える植え付け用の部分条クラッチ３０が、操作レバー３１により各別に入り切り自在に設けられ、全ての部分条クラッチ３０を入り状態にすると、１０条植え形式での植付作業を行うことができ、一部の部分条クラッチ３０だけを入り状態にすると、該当する植付条（２条、４条、６条又は８条）だけで植付作業を行うことができる。
【００３９】
そして、苗植付装置４には、載置された植付用苗に対して所定量の薬剤（流動体の一例）を散布供給する流動体散布装置としての薬剤散布装置３２と、この薬剤散布装置３２を苗載せ台１３の横幅方向に沿って移動させる移送機構３３とが備えられている。具体的には、図３に示すように、左右の分割植付け装置部分４Ｌ，４Ｒの夫々に対応させて、薬剤散布装置３２として、右側の薬剤散布装置３２Ｒと左側の薬剤散布装置３２Ｌとが備えられ、移送機構３３として、左側の薬剤散布装置３２Ｌに対応する左側の移送機構３３Ｌと、右側の薬剤散布装置３２Ｒに対応する右側の移送機構３３Ｒとが備えられている。
【００４０】
次に、薬剤散布装置３２について説明する。
左右の薬剤散布装置３２は、夫々同一の構成であるから、右側の薬剤散布装置３２Ｒについてのみ説明し、左側の薬剤散布装置３２Ｌについては説明を省略する。
図２に示すように、剤散布装置３２Ｒは、顆粒状の薬剤を貯留するホッパー３５、ホッパー３５から所定量の薬剤を繰り出す繰出し部３６、繰出し部３６で繰り出された薬剤を下方に供給案内する供給ホース３７などを備えて構成され、右側の分割植付け装置部分４Ｒの右側端部に固定状態で設置された後述する電動モータ３８の動力で、その全体がガイドレール３９に沿って右側の分割植付け装置部分４Ｒの横幅方向に移動しながら、繰出し部３６が薬剤を繰り出すように構成されている。
【００４１】
説明を加えると、図３及び図５に示すように、右側の分割植付け装置部分４Ｒから立設された複数の支持フレーム４０により、右側の分割植付け装置部分４Ｒの横幅方向に沿ってガイドレール３９が架設支持され、繰出し部３６における繰出ケース４１がガイドレール３９に対して摺動可能に支持されている。繰出ケース４１には、薬剤を繰出すための繰出用のロール（図示せず）が内装されている。
【００４２】
次に、右側の薬剤散布装置３２Ｒに対する移送機構３３Ｒについて説明する。
図５に示すように、ガイドレール３９の右側端部に位置する支持フレーム４０に支持された収納ケース４３の内部にて、ブラケット４４を介して減速機付きの電動モータ３８が支持されている。そして、電動モータ３８の出力軸３８ａに駆動連結された駆動スプロケット４５とガイドレール３９の左側端部に装備された従動スプロケット４６とにわたって無端回動チェーン４７が巻回張設されている。
尚、左側の薬剤散布装置３２Ｌに対する移送機構３３Ｌについても同様な構成であるが、左側の移送機構３３Ｌでは、収納ケース４３及び電動モータ３８はガイドレール３９の左側端部に支持されている。
【００４３】
図５に示すように、無端回動チェーン４７の途中に固定状態で取り付けられた係止ピン４８が摺動案内部材４２に備えられた係合部材４９に係止して、無端回動チェーン４７の回動に伴って薬剤散布装置３２を連動して移動させる構成となっている。従って、電動モータ３８、無端回動チェーン４７、係止ピン４８等により、移送機構３３Ｒが構成されている。
【００４４】
又、無端回動チェーン４７の係止ピン４８が位置する経路とは反対方向に移動する反対側の経路に係合して連動回動するスプロケット５０が繰出し部３６に備えられ、無端回動チェーン４７の回動に伴うスプロケット５０の回動により繰り出し作動を行うことができるように構成されている。又、図示はしないが、薬剤の繰出し量を変更調節することができるようになっている。
【００４５】
次に、左右両側の薬剤散布装置３２Ｒ，３２Ｌの移送作動並びに繰出し作動の制御、具体的には、左右両側の薬剤散布装置３２Ｒ，３２Ｌに対応して備えられる左右一対の電動モータ３８の作動制御を行うための構成について説明する。
【００４６】
図１０に示すように、部分条クラッチ３０の入り切り状態を検出する５つのクラッチ状態検出センサＳ１、苗縦送りベルト２４の作動状態を検出する縦送り検出センサＳ２、左右の薬剤散布装置３２Ｒ，３２Ｌが横移動範囲の左側端部に位置したことを各別に検出する一対の左端検出センサＳ３、左右夫々の薬剤散布装置３２Ｒ，３２Ｌが横移動範囲の右側端部に位置したことを各別に検出する一対の右端検出センサＳ４、左右夫々の薬剤散布装置３２Ｒ，３２Ｌの横移動距離を各別に検出可能な一対のロータリエンコーダＳ５、それらの検出情報に基づいて左右の電動モータ３８の作動を制御するマイクロコンピュータからなる制御装置３４が備えられている。
【００４７】
クラッチ状態検出センサＳ１は、部分条クラッチ３０を入り切りする操作レバー３１の操作状態に基づいて、各部分条クラッチ３０の切り換え状態を検出する。又、縦送り検出センサＳ２は、図２に示すように、苗載せ台１３の縦送り作動時に、苗縦送り駆動軸２５Ｒ，２５Ｌに備えられた回転体５１が接触して入り操作されるリミットスイッチにて構成されている。
【００４８】
又、図５に示すように、左端検出センサＳ３及び右端検出センサＳ４は、夫々、電動モータ３８を支持するブラケット４４に、無端回動チェーン４７に備えられた図示しない操作片が接触作用したことを検出するリミットスイッチにて構成されている。つまり、左端検出センサＳ３は、薬剤散布装置３２が横移動範囲の左側端部に位置している状態で無端回動チェーン４７に備えられた対応する操作片が接触作用する箇所に備えられ、右端検出センサＳ４は、薬剤散布装置３２が横移動範囲の右側端部に位置している状態で無端回動チェーン４７に備えられた対応する操作片が接触作用する箇所に備えられている。
【００４９】
ロータリエンコーダＳ５は、図示はしないが、電動モータ３８の出力軸３８ａに一体回動する状態で備えられた突起付き回転体と近接センサとを備えて、出力軸３８ａが単位角度回転する毎に１パルスを出力するものであり、パルス数をカウントすることで出力軸３８ａがどの程度回転したかを検出することができるように構成されている。
【００５０】
次に、制御装置３４の制御動作について説明する。
制御装置３４は、電源が投入されて起動すると、左端検出センサＳ３及び右端検出センサＳ４からの出力に基づいて、薬剤散布装置３２が横移動範囲の左右いずれかの端部に位置しているか否かを判別し、左右いずれかの端部に位置していない場合には、左端検出センサＳ３が検出するまで薬剤散布装置３２を移動させるように左右夫々の電動モータ３８を作動させる。このように左右の薬剤散布装置３２が共に左側端部に位置する状態（図１１（ａ）にて示す状態）が作業用初期状態である。
【００５１】
植付作業に伴う薬剤散布作業を実行するのに先立って、制御装置３４は、５つのクラッチ状態検出センサＳ１の検出情報に基づいて、左右両側の薬剤散布装置３２を移動させるための横移動経路を設定する。すなわち、部分条クラッチ３０が入り状態に設定されている植付条に対応する領域において横移動し、部分条クラッチ３０が切り状態に設定されている植付条に薬剤を散布しないように横移動経路を設定する。
【００５２】
例えば、右側端部の部分条クラッチ３０だけが切り状態にある場合について説明すると、図１１に示すように、左側の薬剤散布装置３２Ｌは４条分の植付条の全移動範囲が横移動経路となり、右側の薬剤散布装置３２Ｒは６条分の植付条のうちで左側の４条のみを対象として横移動経路が設定される。
【００５３】
このような設定状態で植付作業が開始されると、植付用苗が所定量植付けられて苗縦送り駆動軸２７が回動して縦送りベルトが回動して苗縦送り作動が行われると、そのことが縦送り検出センサＳ２にて検出される。そして、このような縦送り検出センサＳ２による苗縦送りの検出作動が所定回数（例えば、３回）行われたことが検出されると（所定タイミングに至ると）、制御装置３４は、左右両側の薬剤散布装置３２Ｒ，３２Ｌが共に右方向に向けて移動するように左右両側の電動モータ３８を作動させて、薬剤散布処理（流動体散布処理の一例）を実行する。
【００５４】
薬剤散布処理を実行しているとき、左側の電動モータ３８に対応して備えられる右端検出センサＳ４により、左側の薬剤散布装置３２Ｌが横移動経路の右側端部に到達したことが検出されると、左側の電動モータ３８の作動を停止して薬剤散布処理を終了する。その後は、次回の所定タイミングに至るまで、その停止位置に維持する（図１１（ｂ）で示す状態）。
【００５５】
一方、薬剤散布処理を実行しているとき、右側の電動モータ３８については、それに対応して備えられるロータリエンコーダＳ５の検出情報に基づいて、検出されるパルス数から演算して求めた右側の薬剤散布装置３２Ｒの移動距離が、４条分の移動距離に達したことを判別すると、その時点で右側の電動モータ３８の作動を停止して薬剤散布処理を終了する。その後は、次回の所定タイミングに至るまで、その停止位置に維持する（図１１（ｂ）で示す状態）。
【００５６】
その後、縦送り検出センサＳ２による検出作動が所定回数行われて次回の所定タイミングに至ると、制御装置３４は、左右両側の薬剤散布装置３２Ｒ，３２Ｌが共に左方向に向けて移動し、左端検出センサＳ３により横移動経路の左側端部に到達したことが検出されるまで左右両側の電動モータ３８を作動させる。電動モータ３８の作動を停止すると、次回の所定タイミングに至るまで、その停止位置に維持する（図１１（ｃ）で示す状態）。
植付作業が行われている間は、上述したような処理を繰り返し実行することになる。
【００５７】
制御装置３４は、部分条クラッチ３０が伝動切り状態から伝動入り状態に切り換えられると、縦送り検出センサＳ２の検出結果にかかわらず、部分条クラッチ３０が切り換えられた植付条を含む、部分条クラッチ３０が入り状態になっているすべての植付条において、薬剤散布処理を実行するように構成されている。
【００５８】
すなわち、植付作業に伴う植付用苗の縦送り作動は略一定時間間隔で行われ、植付用苗の縦送り作動が行われる毎に、上述したような薬剤散布処理が行われるが、図１１（ｄ）に示すように、植付用苗の縦送り作動が行われたのち、次回の植付用苗の縦送り作動が行われるまでの間に、部分条クラッチ３０が伝動切り状態から伝動入り状態に切り換えられると、縦送り検出センサＳ２の検出状態にかかわらず、その時点で直ちに、薬剤散布処理が行われるのである。
【００５９】
そして、その後は、上記した所定タイミングに至る毎に、部分条クラッチ３０が伝動切り状態から伝動入り状態に切り換えられた植付条を含む、すべての植付条を対象として、上述したような薬剤散布処理を実行する（図１１（ｅ）参照）。
【００６０】
このような制御を実行することで、部分条クラッチ３０が伝動切り状態から伝動入り状態に切り換えられた植付条において、薬剤の散布量が不足する不利を回避できるものとなる。
【００６１】
図１０に示すように、右側の薬剤散布装置３２Ｒに対応する移送機構３３Ｒにおける収納ケース４３に、薬剤散布装置３２Ｒの位置を変更調節可能な押し操作式の左移動スイッチＳＷ１及び右移動スイッチＳＷ２が備えられている。
制御装置３４は、左移動スイッチＳＷ１が操作されると、その左移動スイッチＳＷ１が押されている間、左右両側の薬剤散布装置３２Ｒ，３２Ｌが左方向に移動するように一対の電動モータ３８を回動させる。又、右移動スイッチＳＷ２が操作されると、その右移動スイッチＳＷ２が押されている間、左右両側の薬剤散布装置３２Ｒ，３２Ｌが右方向に移動するように一対の電動モータ３８を回動させる。このような移動操作は、植付作業終了後においてメンテナンス作業を行う場合に行われる。
【００６２】
そして、左移動スイッチＳＷ１と右移動スイッチＳＷ２とが同時に押し操作されると、制御装置３４は、左側の薬剤散布装置３２Ｌをガイドレール３９の左側端部に位置させ、右側の薬剤散布装置３２Ｒをガイドレール３９の右側端部に位置させるように移動させる格納処理を実行する（図１２（ａ）参照）。この格納処理は、上記したような苗植付装置４を格納姿勢に切り換えるのに先立って行われる。従って、左移動スイッチＳＷ１と右移動スイッチＳＷ２とにより、手動操作に基づいて格納状態を指令する格納指令手段５４が構成される。
【００６３】
図８に示すように、苗植付装置４を格納姿勢に切り換えると、左側の分割植付け装置部分４Ｌでは左側端部が機体前部側に位置し、右側の分割植付け装置部分４Ｒでは右側端部が機体前部側に位置する。その結果、図９に示すように、上記した格納処理を実行することにより、左右の薬剤散布装置３２Ｒ，３２Ｌが走行機体１に近接する状態となるので、外物との衝突のおそれが少ないものとなる。
【００６４】
又、図１０に示すように、収納ケース４３に押し操作式の計量スイッチＳＷ３が備えられ、制御装置３４は、計量スイッチＳＷ３の操作に基づいて計量用の制御作動を実行するように構成されている。この計量用の制御作動は、作業開始前に薬剤散布装置３２による実際の繰出し量を計量して変更調節するために行われる。
【００６５】
計量用の制御作動について説明すると、制御装置３４は、計量スイッチＳＷ３が１度押し操作されると、図１２（ａ）に示す格納状態（左側の薬剤散布装置３２Ｌが左側端部に位置し、右側の薬剤散布装置３２Ｒが右側端部に位置する状態）から左右の薬剤散布装置３２Ｒ，３２Ｌが共に左側端部に位置する状態（図１２（ｂ）に示す状態）になるように電動モータ３８を作動させる。再度、計量スイッチＳＷ３が操作されると、１回だけ薬剤散布処理が行われる。そして、このときの図１２（ｃ），（ｄ）に示すように、供給ホース３７の下端部に貯留容器Ｃを取り付けておき、実際に繰出された薬剤の量を計測するのである。
【００６６】
〔別実施形態〕
（１）上記実施形態では、部分条クラッチ３０が伝動切り状態から伝動入り状態に切り換えられると、部分条クラッチ３０が入り状態になっているすべての植付条において、薬剤散布処理を実行するようにしたが、このような構成に代えて、部分条クラッチ３０が伝動切り状態から伝動入り状態に切り換えられると、部分条クラッチ３０が切り状態から入り状態に切り換えられた植付条においてのみ、薬剤散布処理を実行する構成としてもよい。
【００６７】
（２）上記実施形態では、植付用苗の消費具合に対応した所定タイミングとして、縦送り検出センサＳ２による苗縦送りの検出作動が所定回数として３回行われると、薬剤散布処理を実行する構成としたが、所定回数としては、３回に限らず、１回、２回、又は、４回以上等種々変更して実施することができる。又、このように苗縦送りの回数に代えて、走行機体が所定距離走行する毎に、所定タイミングに至ったものとして、薬剤散布処理を実行する構成としてもよい。
【００６８】
（３）上記実施形態では、左移動スイッチＳＷ１と右移動スイッチＳＷ２とが同時に押し操作されると、制御装置３４が格納処理を実行するようにしたが、格納指令専用のスイッチを設けるようにしてもよく、又、このような構成に加えて、次のように構成してもよい。
すなわち、制御装置３４にキースイッチ（図示せず）の操作情報も入力され、キースイッチによりエンジン停止操作が行われると、制御装置３４が格納処理を実行する構成としてもよい。例えば、植付作業終了後、エンジン５の作動を停止させたとき等において、苗植付装置４が格納姿勢に切り換えられる可能が大であるから、エンジン停止に伴って格納処理を実行することで、特別な操作は不要で操作の煩わしさがない。
【００６９】
（４）上記実施形態では、苗植付装置４が、左右の分割植付け装置部分４Ｒ，４Ｌに分割され、且つ、正規の作業姿勢と格納姿勢とに切り換え可能に構成したが、このような構成に限らず、苗植付装置４が一体的に構成されるものでもよく、このように一体的に構成される苗載せ台であっても、植付条数が多い場合に、左右両側に薬剤散布装置３２を各別に備えるようにしてもよい。
【００７０】
（５）上記実施形態では、薬剤散布装置３２を横移動させる移送機構３３が備えられ、薬剤散布装置３２を苗載せ台１３の横幅方向に沿って移動させながら流動体（薬剤）を散布させる構成としたが、このような構成に代えて、薬剤散布装置３２を位置固定状態で備えて、苗載せ台の全条に流動体を供給することができる状態と、部分条クラッチ３０が入り状態となっている植付条に部分的に薬剤を供給することができる状態とに切り換え可能に構成されるものでもよい。
【００７１】
（６）上記実施形態では、流動体散布装置として薬剤散布装置を示したが、薬剤に代えて、肥料やその他の種類の流動体を散布する構成としてもよい。又、乗用型の田植機に限らず、歩行型の田植機であってもよい。
【産業上の利用可能性】
【００７２】
本発明は、苗植付装置に載置された植付用苗に対して流動体を散布する流動体散布装置が備えられた田植機に適用できる。
【符号の説明】
【００７３】
１                    走行機体
４                    苗植付装置
４Ｒ，４Ｌ            分割植付け装置部分
５                    エンジン
１３                  苗載せ台
１４                  植付機構
３０                  部分条クラッチ
３２，３２Ｌ，３２Ｒ  流動体散布装置
３３，３３Ｌ，３３Ｒ  移送機構
３４                  制御装置
５４                  格納指令手段
【図１】
2014143989.tif 000003
【図２】
2014143989.tif 000004
【図３】
2014143989.tif 000005
【図４】
2014143989.tif 000006
【図５】
2014143989.tif 000007
【図６】
2014143989.tif 000008
【図７】
2014143989.tif 000009
【図８】
2014143989.tif 000010
【図９】
2014143989.tif 000011
【図１０】
2014143989.tif 000012
【図１１】
2014143989.tif 000013
【図１２】
2014143989.tif 000014